(57)【要約】      （修正有）【課題】カップ麺容器の上面蓋を剥がすことなく密着した状態で、熱湯の注湯を可能とするとともに、密閉保持可能な注湯器具を提供し、指定待ち時間の短縮と衛生上の向上を果たす。【解決手段】カップ麺容器８の上面蓋を突き刺して所定の深さまで容器内に挿入可能な導入管部と、その上部に設けた漏斗を形成する注湯受け口２を一体的に設けると共に、導入管部には、所定の注湯量に達した際に注湯受け口の出口を塞ぐチェック弁機構１０を備えた。【選択図】図３
2013224157.tif 000002
【特許請求の範囲】
【請求項１】
カップ麺容器の上面蓋を突き刺して所定の深さまで容器内に挿入可能な導入管部と、その上部に設けた漏斗を形成する注湯受け口を一体的に設けると共に、上記導入管部には、所定の注湯量に達した際に注湯受け口の出口を塞ぐチェック弁機構を備えたことを特徴とするカップ麺容器用注湯器具。
【請求項２】
チェック弁機構は、注湯導入管部に内蔵された中空または比重の小さい球体で構成されていることを特徴とする上記請求項１記載のカップ麺容器用注湯器具。
【請求項３】
漏斗を形成する注湯受け口２は、中空の逆円錐形状、半球形状または桝形状にして、一時的な湯溜まり機能を備えていることを特徴とする上記請求項１または請求項２記載のカップ麺容器用注湯器具。
カップ麺蓋上面に容易に給湯口１２をつくるために斜めに切られた導入管部の尖端部７を備えたことを備えた注湯器である。
【請求項４】
漏斗を形成する注湯受け口２は、それが逆円錐形、半球形状の場合に、カップ麺容器の蓋上面に安定的に載置し支持できるような傾き防止部材を備えたことを特徴する。
【発明の詳細な説明】
【技術分野】
【０００１】
本発明はカップ麺容器上面の蓋を剥がして開けることなく、お湯を注ぐことができる漏斗状のカップ麺用注湯器具に関するものである。          
【背景技術】
【０００２】
カップ麺等の調理の際に必要なカップ麺容器への注湯作業は、一般的にカップ麺容器上面の蓋を1/3ほど手で引き剥がして開けて熱湯を注ぎ、湯量が所定量に達した時点で、開けた蓋を再び閉じて保温保持するために、蓋の先端部を容器の上面縁部に折り曲げ、更に必要に応じて、蓋がめくれ上がらないように押さえるための重し（オモリ）のようなものを置き、飲食可能になるまでの数分間待つという方法が最も一般的なやり方であった。そして、この作業中に力のバランスを欠くと、カップ麺容器から熱湯がこぼれて軽い火傷をする恐れがあったり、容器上面の蓋を引き剥がす際に大きく開けてしまうと、空気中の埃やごみ、塵等の浮遊物等が混入することがあって不衛生である。また、蓋を必要以上に大きく剥がしてしまうと、オモリ等で押さえが効かない部分ができてしまい、蓋が十分に密閉されないために、保温効果が損なわれ、麺の味が損なわれたり、待っている間に、さらに空気中のごみや浮遊物が、密着されていない隙間から入り込む恐れもあり、衛生的に好ましいものではない等の不都合の多いものであった。
【０００３】
また、こうした不都合を解決するためになされた従来技術には、カップ麺容器上面を覆うに十分な専用の蓋キャップを準備し、当該蓋キャップに、容器上面に注湯口をあけるための複数の刃を設け、注湯作業の際にはカップ麺容器の上面の包装に押し当てて、回転させながら容器上面の包装を円形に切り取り、この上面の包装を取り除いて熱湯を注ぎ、キャップを密閉保温用蓋体として使用するようにしたもの（特許文献１参照）があり、また従来のカップ麺容器の上面蓋部分に、小さな注湯専用蓋を設け、この注湯専用蓋を開けて注湯した後において、再び注湯専用蓋を密着させて保温保持できるようにするための粘着剤を、注湯専用蓋の周縁に設けてなるもの（特許文献２参照）があった。
【先行技術文献】
【特許文献】
【０００４】
【特許文献１】特開２０１０−６４７８６号公報
【特許文献２】特開２００３−２６１１８３号公報
【発明の概要】
【発明が解決しようとする課題】
【０００５】
上記特許文献1のキャップ２は、大きく注湯口を開けるための複数の刃１を円周状に配置してあるので、この刃１をカップ麺容器上面の容器蓋３に押し当てて、回転させながら円形に容器蓋３を切り取って開ける。（第３頁図３）そして、大きく開いた注湯口から熱湯を注ぎ、キャップ２を反転して押さえ蓋体として使用し、保温を図るものである。しかしながら、大きく注湯口を開口するため、その時に多量の埃やごみ、塵等の浮遊物等が入り易く、専用のキャップ２を使わない従来の手で引き剥がして開ける方法より不衛生である。
【０００６】
その上、キャップ２の刃１は、尖っているので、使用の前後においても危険で怪我の恐れのあるものである。
【０００７】
また、カップ麺容器上面の容器蓋３の開口部が大きいために、持ち運びなど移動するときに、キャップ２が固定されていないので、大きく開けた注湯口からお湯がこぼれ易く、やけどを負う恐れが高いと共に、容器蓋３の縁取り部分が取り残されているので、汁を飲む際に扱いにくい等、安全性に不具合がある。
【０００８】
また、特許文献２のものは、カップ麺容器上面の従来の蓋１に新たに専用の給湯口２とその密閉蓋４を設けると共に、注湯後に再び密閉蓋４を従来の蓋１に密着保持できるように粘着剤３を設けるというもの（第２頁図１）で、その実施に際し従来の製造ラインを変更する必要が生じ、製造コストが高くなる。
【０００９】
また接着剤のついた密閉蓋４に向かって，熱湯を注ぐため、粘着剤３にお湯がかかり、溶け出して容器内部に給湯口２から混入する恐れが高く、このため、不衛生であるばかりでなく、体に有害なものまで混入する恐れがある。
【００１０】
そこで本発明は、上記の特許文献１、及び特許文献２の不具合な部分を解決するために創案されたものであって、カップ麺容器上面の蓋を剥がさないで注湯することができ、埃やごみ、不純物等が容器内部に入らない状態を保ち、購入したものを衛生的に食べることができる。然も熱湯蒸気の保温保持に優れたカップ麺容器用の注湯器具を提供することを目的とするものである。
【課題を解決するための手段】
【００１１】
上記目的を達成するため、本発明の課題解決手段は、カップ麺容器の蓋を突き刺して所定の深さまで容器内に挿入可能な導入管部と、その上部に設けた漏斗を形成する注湯受け口を一体的に設けると共に、上記導入管部には、所定の注湯量に達した際に漏斗を形成する注湯受け口の出口を塞ぐチェック弁機構を備えたことを特徴とする。
【００１２】
また、本発明のチェック弁機構は、導入管部に内蔵された中空または比重の小さな球体で構成されていることを特徴とする。
【００１３】
また、本発明の漏斗を形成する注湯受け口は、中空の逆円錐形状、半球形状または桝形形状にして、一時的な湯溜まり機能を備えていることを特徴とする。
【００１４】
更に、本発明の漏斗を形成する注湯受け口は、それが逆円錐形状、半球形状の場合に、カップ麺容器の蓋上面に安定的に載置し支持できるような傾倒防止部材を備えたことを特徴する。
【発明の効果】
【００１５】
本発明によれば、カップ麺容器上面の蓋を剥がさずに注湯することができるので、埃やごみ、塵等の浮遊物等の容器内への混入を防ぎ衛生的であるばかりでなく、カップ麺容器にかかわる変更が一切ないので、カップ麺の製造元は従来の方法のまま継続して製造ができ、製造コストに影響を与えない優れた経済的効果を発揮する。
【００１６】
本発明によれば、カップ麺容器の蓋を剥がさずに密閉した状態のまま注湯することができるので、衛生的で保温性に優れ、通常の待ち時間より早く麺を食用に適するようにすることができる。
【００１７】
本発明によれば、カップ麺容器の蓋を剥がさずに密閉した状態で注湯することができ、然もチェック弁機構により、適量のお湯が入るとそれ以上お湯を入れなくてもよいことが、一目でわかる。よってお湯があふれたり、少なすぎたりすることがなく、カップ麺の仕上がりと味にバラツキがなく、常に最適な調理を安定して提供できる優れた効果を発揮する。
【００１８】
また本発明によれば、カップ麺容器の蓋を剥がさずに密閉した状態で注湯することができるため、注湯後にすぐに持ち運びができ、チェック弁機能とも相俟って、多少の傾き程度ではカップ麺容器内部のお湯がこぼれたりしない。またお湯がこぼれないので、火傷等の心配もなく安全にカップ麺を食べることができる。
【００１９】
さらに本発明によれば、カップ麺容器の蓋の上面であれば任意の位置に注湯器具の導入管部を突き刺して配置できるため、注湯する際、状況に応じてお湯を注湯することができ、然も注湯受け口は一時的に一定の湯量の湯溜まりとなると共に、広口であるので湯を注ぎ易い効果を発揮する。
【００２０】
なお、本発明によれば、注湯器具の導入管部を突き刺して配置した後、必要に応じて傾倒防止部材があるため、容器蓋の上面に安定して支持できると共に、導入管部によって蓋の挿入開口を塞ぐ役目も果たしているので、蓋との隙間から蒸気が逃げることがなくて保温性に優れ、かつ埃やごみ塵等の侵入もない。
【図面の簡単な説明】
【００２１】
【図１】本発明のカップ麺容器用注湯器具の一実施例を表す斜視図
【図２】本発明のカップ麺容器用注湯器具をカップ麺容器に装着した場合の説明用断  面斜視図
【図３】本発明のカップ麺容器用注湯器具をカップ麺容器に装着した場合の説明用縦断面図
【図４】本発明のカップ麺容器用注湯器具をカップ麺容器に装着した使用状態を表わす説明用斜視図
【発明を実施するための形態】
【実施例】
【００２２】
本発明のカップ麺容器用注湯器具の一実施例を第１図に示す。この場合、漏斗を形成する注湯受け口２の代表例として、中空の裁頭円錐形状の事例を示すが、この漏斗を形成する注湯受け口２の形状はこれに限らず、図示してないが中空の半球形状、或いは四角い桝形の形状であっても良く、一定量の湯溜まりとして機能するものであればよい。
そして、上記漏斗を形成する注湯受け口２の底部は、下端が斜めに切られた導入管部３の上端と一体的に連なり、漏斗を形成する注湯受け口２に注がれた熱湯を後述のカップ麺容器８へと導くものである。
【００２３】
導入管部３には、長穴の第一逃げ孔４が例えば９０°の間隔で円周状に４ケ所づつ２段に設けられ、更にこれら第一逃げ孔４の間の４５°中間には、夫々１ケ所づつ合計４個の第二逃げ孔５を設け、これ等の第一逃げ孔４、第二逃げ孔５の開口面積の合計が、導入管部３の通路断面積よりも大きくなるように構成され、注湯が滞ることなくスムーズに流れるようになっている。
【００２４】
なお、導入管部３の下端は、斜めにカットされた尖端管部７となっていて、後述のカップ麺容器８の上面蓋１３を突き刺し易いように加工されている。（図２、３参照）ただし、この導入管部３の下端は、斜めカットに限らずギザギザ加工或いは、薄肉であっても良く、これ等に限らずカップ麺容器８の上面蓋１３を突き刺すことができれば十分である。
【００２５】
また、導入管部３の上端側の内部には、チェック弁機構１０用の弁座面（シート面）形状が設けられている。シート面の形状は、管部の肉厚より少し厚くなっており、チェック弁としての球体１１は、カップ麺容器８内に注がれた湯量が所定量に達した時に、浮力で持ち上げられてシート面に密着して止まるようになっている（図２、３参照）。
このチェック弁機構１０により、本発明の場合、注湯が所定レベルに達するまでは熱湯をカップ麺容器８内へと通し、カップ麺容器８内に注がれた湯量が所定量に達した時に、浮力で持ち上げられてシート面に密着し、熱湯蒸気が外部に噴出若しくは漏れ出るのを防止する事ができ、保温効果を良好に保つのである。
なお、このチェック弁としての球体１１は、大きな浮力を受けるように中空の球浮き状、または比重の小さなプラスチック製の中実ボール状とすることもでき、更に、その形状は球体に限らず、円盤状のものであっても、浮力を受けてシート面部に着座し、熱湯蒸気が外部に噴出、若しくは漏れ出ないように機能するものであれば、図示の実施例に限らないことは勿論である。
【００２６】
本発明の漏斗を形成する注湯受け口２は、図１の実施例の場合は中空の逆円錐形形状とされると共に、カップ麺容器８の上面の蓋の上に安定して設置できるように、傾倒防止部材６を設けたものであり、注湯の際に湯溜まりとしての漏斗を形成する注湯受け口２を垂直に保持できるようになっている。
また、上記漏斗を形成する注湯受け口２の形状についても、図１の様な中空の逆円錐形形状に限らず、図示してないが中空の半球形状、または四角の桝形形状等であっても良く、一時的な湯溜まりとしての機能を果たせる形状であればいずれでも構わないが、その選定に際しては、湯を溜めるのに最適な体積（例えば、上記三種類の中では、桝形状が最大で、次いで半球形状、円錐形状の順になる）を考慮すると共に、デザイン性や製作上の容易性等を考慮して決めるのが好ましい。
なお、図示した傾倒防止部材６ついては、漏斗を形成する注湯受け口２と一体的に形成しても良く、また、漏斗を形成する注湯受け口２の形状が、図示のような逆円錐形状と半球形状の場合は必要になるが、桝形形状の場合は、底面が平坦になっているので特に設ける必要はない。
【００２７】
次に本発明の注湯器具の使用手順を説明する。
注湯器具をカップ麺容器８の上面蓋１３の任意の位置に、導入管部３の尖端管部７を刺し込んで給湯孔１２をあけて、そのまま押し込み、上面蓋１３に傾倒防止部材６を当接させて安定的に設置される。
【００２８】
漏斗を形成する注湯受け口２に熱湯を注ぎこむと、お湯は湯溜まり１の底部から湯通路１４を通り、球体１１を避けながら、第一逃げ孔４、第二逃げ孔５、斜めにカットされた尖端管部７などからカップ麺容器８内にお湯が排出され、カップ麺容器８の底よりお湯がたまる。
この時、チェック弁としての球体１１と湯通路１４とにより得られる環状の有効通路面積よりも、上記は第一逃げ孔４、第二逃げ孔５、斜めにカットされた尖端管部７の開口部などからなる合計の開口面積の方が大きくなるように設定されているので、熱湯はスムーズに流れてカップ麺容器８内に供給される。
また、漏斗を形成する注湯受け口２の湯溜まり１の体積も、大きく設定されているので、熱湯も注ぎ易く、かつ溢れてこぼれることもなく、安全である。
【００２９】
お湯がたまりはじめると、球体１１が浮力を受けてお湯の上面で押されて上昇する。そしてカップ麺容器８に設けられたカップ麺容器内部の所定の注湯ライン９までお湯が達すると、上昇していた球体１１が、チェック弁機構１０のシート面に押し付けられて自動的に止まり、熱湯蒸気なども外部に噴出させたり漏れ出すのを確実に防止し、保温効果を高めることができるとともに、安全チェック弁として機能する。
更に、この時の球体１１の浮上は、漏斗を形成する注湯受け口２の底部の湯通路１４の開口部から目視で確認できるので、常に注湯量を最適なものとすることができ、味の品質維持を容易に果たすことができるものであり、球体１１についても赤色等のカラーボールとすることにより、目視確認しやすくすると一層好都合である。
【００３０】
本発明の場合、上記したように球体１１が注湯されたお湯の浮力を受けて自動的にシート面に押し付けられて止まることで、カップ麺容器８内部には最適量のお湯が注湯されたことの目安になるばかりでなく、特に重要なことは、カップ麺容器８の上面蓋１３は、少しも剥がれていないため、カップ麺容器８の内部は密閉状態が保たれたままお湯の熱さで蒸されるため、指定時間より早く食べごろを迎えることができる。
また同時に、カップ麺容器８の上面蓋１３には、本発明の注湯器具が緊密に装着されているとともに開口部がチェック弁機構１０により塞がれているので、保温効果が良い他、埃やごみ、塵等の浮遊物などがカップ麺容器８内部に侵入する事を確実に防止でき、衛生上も優れた効果を併せて発揮することができるものである。
【００３１】
以上で、本発明の一実施形態の説明を終えるが、本発明の範囲は図示され、または説明された詳細な説明そのものに限定されないことは勿論であり、発明の要旨を逸脱しない限り、当業者であれば、注湯受け口の形状、チェック弁の形状や色彩、傾倒防止部材の形状、導入管部の寸法や尖端管部の形状等、種々選択し任意に組合わせて実施する事ができるものであることは、自明のことである。
【産業上の利用可能性】
【００３２】
本発明は、殊に近年急速に普及してきたカップ麺用の注湯器具であり、カップ麺容器自体は何ら変更する必要がなく、従来の容器をそのまま利用できるため、既存のカップ麺製造設備もそのまま利用でき、カップ麺業界並びに一般家庭においても別途購入して使用できる等、幅広く利用でき、産業上の利用価値が高い。
【符号の説明】
【００３３】
１    湯溜まり
２    漏斗を形成する注湯受け口
３    導入管部
４    第一逃げ孔
５    第二逃げ孔
６    傾倒防止部材
７    導入管部の尖端管部
８    カップ麺容器
９    カップ麺容器内部の所定の注湯ライン
１０  チェック弁機構
１１  球体
１２  給湯孔
１３  上面蓋
１４  湯通路
【図１】
2013224157.tif 000003
【図２】
2013224157.tif 000004
【図３】
2013224157.tif 000005
【図４】
2013224157.tif 000006